(57)【要約】  インクや記録媒体の種類が限定されることなく高画質を実現することを目的とし、インク滴Ｄを吐出する複数のノズル３０１が設けられたインクジェットヘッド３を備え、インクジェットヘッド３と記録媒体Ｐとの間に電圧を印加して、複数のノズル３０１からインク滴Ｄを帯電させつつ吐出させて記録媒体Ｐへ着弾させ、当該記録媒体Ｐに画像を記録するインクジェット記録装置１において、記録媒体Ｐにインク滴Ｄａを着弾させてから、当該インク滴Ｄａが放電し終わる前に、当該インク滴Ｄａに重なるインク滴Ｄｂを着弾させる。
2011037006.tif 000002
【特許請求の範囲】
【請求項１】
インクをインク滴として吐出する複数のノズルが設けられたインクジェットヘッドを備え、前記インクジェットヘッドと記録媒体との間に電圧を印加して、前記複数のノズルから前記インク滴を帯電させつつ吐出させて前記記録媒体へ着弾させ、当該記録媒体に画像を記録するインクジェット記録装置において、
前記記録媒体に一のインク滴を着弾させてから、当該一のインク滴が放電し終わる前に、当該一のインク滴に重なる他のインク滴を着弾させることを特徴とするインクジェット記録装置。
【請求項２】
前記一のインク滴が着弾してから前記他のインク滴が着弾するまでの時間間隔が、２０ｍｓｅｃ以下であることを特徴とする請求項１に記載のインクジェット記録装置。
【請求項３】
前記複数のノズルは、互いのインク吐出口の間の距離が１７０μｍ以上であることを特徴とする請求項１又は２に記載のインクジェット記録装置。
【請求項４】
前記記録媒体に着弾した前記インク滴へ熱または光を照射する照射手段を備え、
前記インクは、前記照射手段から熱または光が照射されることにより硬化するものであることを特徴とする請求項１〜３のいずれか一項に記載のインクジェット記録装置。
【発明の詳細な説明】
【技術分野】
【０００１】
本発明は、インクジェット記録装置に関する。
【背景技術】
【０００２】
従来、インクジェットヘッドからインク滴を吐出させて記録媒体に所望の画像を記録するインクジェット記録装置が知られている。このインクジェット記録装置は、多岐にわたる用途に用いられ、それぞれの目的に沿った種類のインクや記録媒体が使用可能となっている。【０００３】
しかしながら、インクジェット記録装置において高画質を実現するには、記録媒体としてインク吸収性を有する専用紙を用いることが必要であった。例えば、記録媒体としてインク吸収性の弱いコート紙やアート紙、又はインク吸収性の全く無いプラスチックフィルムを用いた場合、インク滴同士が記録媒体上で付着してダマになるビーディングや、異色インク滴同士が記録媒体上で混ざって色濁りを起こすカラーブリードといった現象が生じ、画質を低下させることがあった。【０００４】
そこで、ビーディングやカラーブリードの発生を防止するものとして、いくつかの方法が提案されている。【０００５】
その１つとして、室温で固体のワックス等を素材とするホットメルト型インク組成物を用い、これを加熱等により液化して吐出させ、記録媒体上に着弾させつつ冷却固化して記録ドットを形成する方法が提案されている（例えば、特許文献１，２参照）。この方法では、着弾後のインク滴を直ちに冷却固化させることができるため、記録媒体の種類に因らずビーディングやカラーブリードの発生を防止することができる。【０００６】
別の方法としては、活性化光線の照射によって硬化するインクを用いる方法が提案されている（例えば、特許文献３参照）。また、これに類似するものとして、色材としての顔料のほか、重合性材料として三官能以上のポリアクリレートを含有し、ケトン，アルコールを主溶剤とする非水系インクを用いる方法が提案されている（例えば、特許文献４参照）。これらの方法では、硬化成分を反応させることで着弾後のインク滴を直ちに硬化させることができるため、記録媒体の種類に因らずビーディングやカラーブリードの発生を防止することができる。【０００７】
その他の方法としては、紫外線重合モノマーを含有した水系インクを用いる方法が提案されている（例えば、特許文献５参照）。この方法では、紫外線を照射して重合反応させることで着弾後のインク滴を直ちに硬化させることができるため、記録媒体の種類に因らず拡散を抑制し、ビーディングやカラーブリードの発生のほか、普通紙を用いた場合の裏抜けを防止することができる。
【先行技術文献】
【特許文献】
【０００８】
【特許文献１】米国特許第４３９１３６９号明細書
【特許文献２】米国特許第４４８４９４８号明細書
【特許文献３】米国特許第４２２８４３８号明細書
【特許文献４】特公平５−６４６６７号公報
【特許文献５】特開平７−２２４２４１号公報
【発明の概要】
【発明が解決しようとする課題】
【０００９】
しかしながら、上記特許文献１〜５に記載の方法では、インクの種類が限定されることに起因する別の問題が生じていた。【００１０】
例えば、上記特許文献１，２に記載の方法では、インクの種類が、柔らかいワックス状のインク滴となるものに限定される。そのため、このインク滴による記録ドットが盛り上がってしまい、これをローラで均したときにその表面で光が乱反射して光沢の不自然さを生じさせる問題や、擦過性能が不足する問題があった。【００１１】
また、上記特許文献３，４に記載の方法では、インクの種類が、不揮発性の硬化成分を多量に含有するものに限定される。そのため、記録ドットが盛り上がってしまい、上記同様に光沢の不自然さや擦過性能の不足といった問題があった。加えて、インクに含有される硬化成分は、人体に対する安全性の面で化合物の選択に制約を受けるため、この化合物の選択に伴うインクの物性について自由な設計が制限されていた。【００１２】
また、特許文献５に記載の方法では、紫外線重合モノマーの含有量を多くすると、インクの粘度が増加してインク滴の吐出速度が大幅に低下する一方、紫外線重合モノマーの含有量を少なくすると、拡散を抑制する効果が低下してビーディングやカラーブリードの発生を防止できないといった問題があった。つまり、インクの種類が、適切な量の紫外線重合モノマーを含有するものに限定されていた。【００１３】
本発明の課題は、インクや記録媒体の種類が限定されることなく、高画質を実現することのできるインクジェット記録装置を提供することである。
【課題を解決するための手段】
【００１４】
前記の課題を解決するために、請求項１に記載の発明は、
インクをインク滴として吐出する複数のノズルが設けられたインクジェットヘッドを備え、前記インクジェットヘッドと記録媒体との間に電圧を印加して、前記複数のノズルから前記インク滴を帯電させつつ吐出させて前記記録媒体へ着弾させ、当該記録媒体に画像を記録するインクジェット記録装置において、
前記記録媒体に一のインク滴を着弾させてから、当該一のインク滴が放電し終わる前に、当該一のインク滴に重なる他のインク滴を着弾させることを特徴とする。【００１５】
請求項２に記載の発明は、請求項１に記載のインクジェット記録装置において、
前記一のインク滴が着弾してから前記他のインク滴が着弾するまでの時間間隔が、２０ｍｓｅｃ以下であることを特徴とする。【００１６】
請求項３に記載の発明は、請求項１又は２に記載のインクジェット記録装置において、
前記複数のノズルは、互いのインク吐出口の間の距離が１７０μｍ以上であることを特徴とする。【００１７】
請求項４に記載の発明は、請求項１〜３のいずれか一項に記載のインクジェット記録装置において、
前記記録媒体に着弾した前記インク滴へ熱または光を照射する照射手段を備え、
前記インクは、前記照射手段から熱または光が照射されることにより硬化するものであることを特徴とする。
【発明の効果】
【００１８】
請求項１に記載の発明によれば、記録媒体に一のインク滴を着弾させてから、当該一のインク滴が放電し終わる前に、当該一のインク滴に重なる他のインク滴を着弾させるので、これら一のインク滴と他のインク滴とには、着弾した後に、互いの帯電電荷による斥力が生じる。これにより、着弾したインク滴同士が引き合って生じるビーディングやカラーブリードの発生が防止される。したがって、インクや記録媒体の種類が限定されることなく、高画質を実現することができる。【００１９】
請求項２に記載の発明によれば、記録媒体に一のインク滴が着弾してから他のインク滴が着弾するまでの時間間隔が２０ｍｓｅｃ以下であるので、これらインク滴同士の帯電電荷による斥力を有効に使うことが可能となる。これにより、着弾したインク滴同士が引き合って生じるビーディングやカラーブリードの発生がより確実に防止される。したがって、インクや記録媒体の種類が限定されることなく、より確実に高画質を実現することができる。【００２０】
請求項３に記載の発明によれば、複数のノズルは、互いのインク吐出口の間の距離が１７０μｍ以上であるので、これらのインク吐出口から吐出された各インク滴が、飛翔中に互いの帯電電荷によって反発し合うことがない。そのため、インク滴の吐出方向が変化することによる着弾位置のずれが防止される。したがって、画質の低下を防止して、更なる高画質を実現することができる。【００２１】
請求項４に記載の発明によれば、記録媒体に着弾したインク滴へ熱または光を照射する照射手段により当該インク滴を硬化させるので、着弾したインク滴同士が引き合うのを互いの帯電電荷による斥力で抑制しつつ、当該インク滴を速やかに硬化させることができる。これにより、ビーディングやカラーブリードの発生がより確実に防止される。したがって、インクや記録媒体の種類が限定されることなく、より確実に高画質を実現することができる。
【図面の簡単な説明】
【００２２】
【図１】インクジェット記録装置の要部を示す模式図である。
【図２】インクジェットヘッドの斜視図である。
【図３】ノズルプレートの下面図である。
【図４】図３のＡ部を拡大した図である。
【図５】図４のIII−III線でのノズルプレートの断面図である。
【図６】下方から見たノズル配列図である。
【図７】（ａ）ノズルからのインク滴の吐出順を説明するための図であり、（ｂ）記録媒体表面でのインク滴の着弾順を説明するための図である。
【図８】（ａ）液よりが発生していない良好な画像例を示す図であり、（ｂ）液よりが発生している画像例を示す図である。
【発明を実施するための形態】
【００２３】
以下、本発明の実施形態について、図を参照して説明する。
【００２４】
図１は、本発明に係るインクジェット記録装置１の要部を示す模式図である。
【００２５】
この図に示すように、インクジェット記録装置１は、記録媒体Ｐを矢印Ｚの方向（以下、搬送方向Ｚという）へ搬送する搬送部２を備えている。搬送部２は接地されており、接地電位に維持されている。記録媒体Ｐとしては、紙や布帛のほか、インク吸収性の無いプラスチックフィルムや金属類等を用いることが可能であり、特に限定されない。なお、ここでの紙とは、インク吸収性を有するインクジェットプリンタ専用紙は勿論のこと、インク吸収性の弱いコート紙やアート紙、及び普通紙を含むものである。
【００２６】
搬送部２の上方には、搬送部２上の記録媒体Ｐへインク滴Ｄを吐出するインクジェットヘッド３が配設されている。このインクジェットヘッド３には、インク滴Ｄを吐出する複数のノズル３０１が、図中のＸ方向及びＹ方向に配列されている（図２参照）。
【００２７】
また、搬送部２の上方であって、インクジェットヘッド３よりも搬送方向Ｚの後流側には、記録媒体Ｐの表面に着弾したインク滴Ｄへ紫外線を照射する照射装置４が配設されている。
【００２８】
これら搬送部２，インクジェットヘッド３及び照射装置４は、制御部５に接続されており、この制御部５により動作を制御される。制御部５には、後述するインクジェットヘッド３のノズルプレート３０に静電電圧を印加する静電電圧電源５１が備えられている。この静電電圧電源５１により、ノズルプレート３０下面と搬送部２上面との間、ひいてはノズルプレート３０下面と記録媒体Ｐ表面との間のギャップＧに、所定の静電電圧を印加可能となっている。
【００２９】
図２は、インクジェットヘッド３の斜視図である。
【００３０】
この図に示すように、インクジェットヘッド３の下端には、インク滴Ｄを吐出する複数のノズル３０１が設けられたノズルプレート３０が取り付けられている。
【００３１】
図３は、ノズルプレート３０の下面図である。但し、この図では、図示の分かり易さのために、後述の絞り流路３３０及び圧力室３４０を実線で示している。
【００３２】
この図に示すように、ノズルプレート３０は、複数のノズル列３００を有している。ノズル列３００は、本実施形態においては、８個のノズル３０１から構成されている。より詳しくは、ノズル列３００は、Ｘ方向の位置が僅かずつ重なるようにＹ方向に対して斜めの直線状に配列された、４個のノズル３０１からなるノズル組を２組有している。そして、この２組のノズル組は、一方のノズル組の一端のノズル３０１と他方のノズル組の他端のノズル３０１との、２個のノズル３０１のＸ方向の位置を僅かに重ねつつ、互いの４個のノズル３０１をＹ方向へ交互に配列させている。このノズル列３００は、各ノズル３０１のＸ方向の位置が交互に僅かずつ重なるようにＹ方向に２列配列されている（図７（ａ）参照）とともに、各ノズル３０１のＹ方向の位置が同一となるようにＸ方向に８列配列されている。つまり、ノズル列３００は合計１６列配列されており、ノズル３０１は、Ｘ方向に８列とＹ方向に１６列の、合計１２８個が配列されている。
【００３３】
また、ノズルプレート３０内には、各ノズル３０１へインクを流通させるためのインク流路３１０が形成されている。インク流路３１０は、２つの集合流路３１１と、８つの分岐流路３１２とを有している。
【００３４】
このうち、２つの集合流路３１１は、全てのノズル３０１を挟むように、そのＸ方向の両側に形成されているとともに、それぞれ両端のインク供給口３１３に連通されている。
【００３５】
一方、８つの分岐流路３１２は、各集合流路３１１と連通されている。また、これらの分岐流路３１２は、Ｙ方向に１６列配列されたノズル３０１に対し、２列毎にインクを供給できるように、それぞれＸ方向へ延在されつつＹ方向へ並設されている。
【００３６】
図４は、図３のＡ部を拡大した図であり、図５は、図４のIII−III線でのノズルプレート３０の断面図である。
【００３７】
これらの図に示すように、分岐流路３１２は、インク供給路３２０，絞り流路３３０，圧力室３４０及び開口部３５０をこの順に介してノズル３０１と連通されている。
【００３８】
インク供給路３２０及び絞り流路３３０は、分岐流路３１２から圧力室３４０へインクを供給するための流路である。
【００３９】
圧力室３４０は、開口部３５０を通じてノズル３０１からインクを吐出させるための部屋であり、平面視で一辺が４５０μｍ角の略正方形状に形成されている。圧力室３４０の上方には、圧電素子３４１が付設されている。
【００４０】
圧電素子３４１は、ＰＺＴ（lead zirconium titanate）からなるアクチュエータであり、電圧が印加されると変形して圧力室３４０内部のインクを開口部３５０へ押し出す。押し出されたインクは、開口部３５０を通じて、ノズルプレート３０下面に開口したノズル３０１のインク吐出口３０１ａから微小なインク滴Ｄとして吐出される。
【００４１】
また、複数のノズル３０１は、互いのインク吐出口３０１ａの間の距離が所定の距離以上となっており、本実施形態においては、当該距離が１７０μｍ以上である。つまり、Ｘ方向に隣り合うインク吐出口３０１ａ間の距離Ｌ１と、略Ｙ方向に隣り合うインク吐出口３０１ａ間の距離Ｌ２とは、いずれも１７０μｍ以上となっている。
【００４２】
但し、隣り合うインク吐出口３０１ａ間の距離Ｌ１，Ｌ２は、以下の画質低下現象を防止できる距離であれば、１７０μｍ以上でなくともよい。
【００４３】
インク吐出口３０１ａから吐出されたインク滴Ｄは、後述するようにギャップＧ中で帯電している。そのため、隣り合うインク吐出口３０１ａから吐出された２つのインク滴Ｄは、飛翔中に互いの帯電電荷によって相互に斥力を作用させる。このとき、隣り合うインク吐出口３０１ａ間の距離Ｌ１，Ｌ２が近すぎる場合には、インク滴Ｄを吐出方向へ飛翔させる力よりも上記の斥力が大きくなる。その結果、インク滴Ｄの吐出方向が変化して着弾位置がずれ、画質を低下させてしまう。したがって、隣り合うインク吐出口３０１ａ間の距離Ｌ１，Ｌ２として、インク滴Ｄを吐出方向へ飛翔させる力よりも上記の斥力が小さくなるような距離とすることで、この画質低下現象を防止することができる。
【００４４】
インクジェット記録装置１で用いられるインクは、紫外線の照射を受けて硬化する、いわゆるＵＶ硬化インクである。また、このインクの電気伝導度は、インク滴Ｄに適正な静電吸引力を作用させるために、１μＳ／ｃｍ以上かつ１０００μＳ／ｃｍ以下であることが好ましいが、高精細の画像を実現する観点から、１００μＳ／ｃｍ以上であることがより好ましい。
【００４５】
以上の構成を具備するインクジェット記録装置１は、記録媒体Ｐを搬送方向Ｚへ搬送させつつインク滴Ｄを着弾させて所望の画像を記録する、いわゆるシングルパス方式のものである。同時に、インクジェット記録装置１は、ノズルプレート３０と記録媒体Ｐとの間のギャップＧに静電電圧を印加することにより、このギャップＧ間を飛翔するインク滴Ｄを帯電させて静電吸引力を作用させつつ画像を記録する、いわゆる静電吸引方式のものである。また、インクジェット記録装置１は、特に限定はされないが、６００ｄｐｉの画像、つまりドット間のピッチが約４２．３μｍの画像を記録可能となっている。
【００４６】
続いて、記録媒体Ｐに画像を記録する際のインクジェット記録装置１の動作について、図６及び図７を参照して説明する。ここでは、画像として単一のラインを描画する場合を例に挙げて説明する。
【００４７】
図６は、下方から見たノズル配列図であり、図７（ａ）は、ノズル３０１からのインク滴Ｄの吐出順を説明するための図であり、図７（ｂ）は、記録媒体Ｐ表面でのインク滴Ｄの着弾順を説明するための図である。
【００４８】
なお、以下の説明では、図６に示すように、便宜上、一部のノズル３０１をノズル３０１Ａ〜３０１Ｏとして識別する。また、ノズル３０１Ａ〜３０１Ｏから吐出されたインク滴Ｄをインク滴Ｄａ〜Ｄｏとして識別する。
【００４９】
まず、制御部５は、静電電圧電源５１を制御してインクジェットヘッド３のノズルプレート３０に静電電圧を印加する。そして、ノズルプレート３０下面と記録媒体Ｐ表面との間のギャップＧに所定の静電電圧が印加された状態とする。これにより、ギャップＧには静電界が形成され、ノズルプレート３０から記録媒体Ｐへ向かう電気力線が形成される。ここで、所定の静電電圧とは、ギャップＧの単位長さ当たりの電圧が５００Ｖ／ｍｍ以上、且つ、空気の絶縁破壊電圧以下となる電圧である。
【００５０】
次に、制御部５は、搬送部２を制御して、当該搬送部２に載置された記録媒体Ｐを所定の速度で搬送方向Ｚへ搬送させる。
【００５１】
次に、制御部５は、インクジェットヘッド３を制御してノズル３０１Ａからインク滴Ｄａを吐出させる。このインク滴Ｄａは、ギャップＧに形成された静電界により帯電されつつ吐出される。このとき、吐出されるインク滴Ｄａの体積は、３ｐｌ以下とするのが好ましい。帯電されたインク滴Ｄａは、ギャップＧに形成された電気力線に沿って静電吸引力を受けつつ飛翔する。その後、インク滴Ｄａは記録媒体Ｐの表面に着弾し、搬送部２へ帯電電荷を放出、つまり放電する。
【００５２】
また、制御部５は、インク滴Ｄａが記録媒体Ｐの表面に着弾する前の所定のタイミングで、ノズル３０１Ｂからインク滴Ｄｂを吐出させる。ここで、所定のタイミングとは、インク滴Ｄａが記録媒体Ｐの表面に着弾した後であって放電し終わる前に、インク滴Ｄｂがインク滴Ｄａに重なって記録媒体Ｐの表面に着弾するようなタイミングである。インク滴Ｄｂは、インク滴Ｄａと同様に、帯電されて静電吸引力を受けつつ飛翔する。このとき、インク滴Ｄａとインク滴Ｄｂとは、同時にギャップＧ中を飛翔する。
【００５３】
そして、記録媒体Ｐの表面にインク滴Ｄａが着弾してから、このインク滴Ｄａが放電し終わる前に、当該インク滴Ｄａに重なってインク滴Ｄｂが着弾する。このとき、インク滴Ｄａが着弾してからインク滴Ｄｂが着弾するまでの時間間隔は、インク滴Ｄａが着弾してから放電し終わるまでの時間として、２０ｍｓｅｃ以下であることが好ましい。
【００５４】
また、制御部５は、インク滴Ｄａに対するインク滴Ｄｂの吐出タイミングと同様に、ノズル３０１Ｃ〜３０１Ｏからインク滴Ｄｃ〜Ｄｏを所定のタイミングで順次吐出させる。こうして、インク滴Ｄｃ〜Ｄｏは、自らが重なるインク滴Ｄの着弾後であって放電し終わる前に、順次記録媒体Ｐの表面に着弾する。
【００５５】
なお、互いに重なるインク滴Ｄを吐出する各ノズル３０１間のＹ方向（搬送方向Ｚ）の距離は、ノズル３０１の配列上、ノズル３０１Ｉとノズル３０１Ｈとの距離Ｗが最も長くなる。つまり、互いに重なるインク滴Ｄの着弾時間間隔は、これらノズル３０１Ｉとノズル３０１Ｈとから吐出されるインク滴Ｄｉとインク滴Ｄｈとにおいて、最も長くなる。制御部５は、この最長の着弾時間間隔が２０ｍｓｅｃ以下となるように、ノズル３０１Ｉとノズル３０１Ｈとからインク滴Ｄｉとインク滴Ｄｈとを吐出させる。
【００５６】
また、制御部５は、ノズル３０１Ａ〜３０１Ｏ以外の他のノズル３０１からも、それぞれ必要に応じて同様の要領でインク滴Ｄを吐出させる。
【００５７】
次に、制御部５は、照射装置４を制御して、記録媒体Ｐの表面に着弾したインク滴Ｄへ紫外線を照射させる。より詳しくは、制御部５は、搬送部２による搬送に伴って照射装置４の下方を通過する記録媒体Ｐに対して、照射装置４から紫外線を照射させる。これにより、記録媒体Ｐの表面に着弾したインク滴Ｄが硬化され、記録ドットとして記録媒体Ｐに定着されて、画像が記録される。なお、照射装置４による紫外線の照射は、ノズル３０１からのインク滴Ｄの吐出と併行して、照射装置４の下方を通過する記録媒体Ｐに対して順次速やかに行われるのが好ましく、互いに重なるインク滴Ｄが放電する前に硬化するよう行われるのがより好ましい。
【００５８】
以上のインクジェット記録装置１によれば、記録媒体Ｐにインク滴Ｄを着弾させてから当該インク滴Ｄが放電し終わる前に、当該インク滴Ｄに重なる他のインク滴Ｄを着弾させるので、これら２つのインク滴Ｄには、着弾した後に、互いの帯電電荷による斥力が生じる。これにより、着弾したインク滴Ｄ同士が引き合って生じるビーディングやカラーブリードの発生が防止される。したがって、インクや記録媒体Ｐの種類が限定されることなく、高画質を実現することができる。
【００５９】
また、記録媒体Ｐにインク滴Ｄが着弾してから他のインク滴Ｄが着弾するまでの時間間隔が２０ｍｓｅｃ以下であるので、これらインク滴Ｄ同士の帯電電荷による斥力を有効に使うことが可能となる。これにより、着弾したインク滴Ｄ同士が引き合って生じるビーディングやカラーブリードの発生がより確実に防止される。したがって、インクや記録媒体Ｐの種類が限定されることなく、より確実に高画質を実現することができる。
【００６０】
また、複数のノズル３０１は、互いのインク吐出口３０１ａの間の距離が１７０μｍ以上であるので、これらのインク吐出口３０１ａから吐出された各インク滴Ｄが、飛翔中に互いの帯電電荷によって反発し合うことがない。そのため、インク滴Ｄの吐出方向が変化することによる着弾位置のずれが防止される。したがって、画質の低下を防止して、更なる高画質を実現することができる。
【００６１】
また、照射装置４により、記録媒体Ｐの表面に着弾したインク滴Ｄが速やかに硬化された場合には、着弾したインク滴Ｄ同士が引き合って生じるビーディングやカラーブリードの発生がより確実に防止されるとともに、記録媒体Ｐとして普通紙を用いたときに紙の繊維に沿って不規則な滲みが発生するフェザリングや裏抜けが防止される。したがって、更なる高画質をより確実に実現することができる。
【００６２】
なお、本発明は上記実施形態に限定して解釈されるべきではなく、適宜変更・改良が可能であることはもちろんである。
【００６３】
例えば、上記実施形態においては、照射装置４は紫外線を照射するものとしたが、記録媒体Ｐに着弾したインク滴Ｄへ熱または光を照射するものであればよい。但し、この場合には、インクとして、照射装置４から熱または光が照射されることにより硬化するものが用いられる。より詳しくは、熱を照射する照射装置４とした場合には、溶媒が蒸発されることにより粘度が上昇して硬化する水系インクが用いられる。また、紫外線や電子といった活性化光線を照射する照射装置４とした場合には、この活性化光線を受けて重合反応を起こすことにより粘度が上昇して硬化する活性化光線硬化インクが用いられる。
【実施例】
【００６４】
以下に、実施例を挙げることにより、本発明をさらに具体的に説明する。【００６５】
本発明の実施例及び比較例として、それぞれ以下の条件でライン描画を実施し、ビーディングやカラーブリードの発生要因である液より（重なったインク滴Ｄが繋がる）の発生状態を目視で観察して官能的評価を行った。
＜描画条件＞
インクジェットヘッド３を使用してシングルパスでライン描画を行った。実施例及び比較例を通じて共通の描画条件は、以下の通りである。【００６６】
ギャップＧ          ：  １ｍｍ
記録媒体Ｐ          ：  アート紙（印刷本紙；ＯＫ金藤），インクジェット専用紙
インク              ：  水性インク
インクの電気伝導度  ：  １００μＳ／ｃｍ
インク滴Ｄの体積    ：  ２，４，６ｐｌ
ノズル間の距離Ｗ    ：  １０ｍｍ
実施例１〜３及び比較例１〜４として、以下の表１に示すように、インク滴Ｄの吐出周波数、記録媒体Ｐの搬送速度、インク滴Ｄの着弾時間間隔、及びギャップＧでの印加電圧をそれぞれ変化させてライン描画を行った。なお、ここでのインク滴Ｄの着弾時間間隔とは、Ｙ方向へ最長のノズル間の距離Ｗ（＝１０ｍｍ）となる、ノズル３０１Ｈとノズル３０１Ｉとから吐出されるインク滴Ｄｈとインク滴Ｄｉとの着弾時間間隔である。【００６７】
【表１】
2011037006.tif 000003
【００６８】
＜結果＞
描画したラインに対して液よりの発生状態を確認したところ、表１に示す結果の通りとなった。ここで、比較例１〜４の「×」は液よりが発生したことを示し、実施例１〜３の「○」は液よりの発生が抑制されたことを示している。より詳しくは、実施例１〜３の「○」は、同一の描画条件であって印加電圧が０Ｖの比較例と比べて液よりの発生が抑制されたことを示している。具体的には、実施例１は比較例２と、実施例２，３は比較例３とそれぞれ比べている。但し、実施例３は、実施例２と比べても、液よりの発生が更に抑制されていた。【００６９】
また、実施例１〜３では、記録媒体Ｐがアート紙（印刷本紙）とインクジェット専用紙とのいずれの場合においても液よりの発生が抑制されていた。更に、実施例１〜３では、インク滴Ｄの体積が２，４，６ｐｌのいずれの場合においても液よりの発生が抑制されていたが、インク滴Ｄの体積がより少ないときの方が液よりの抑制効果が顕著であった。ここで、液よりが発生していない良好な画像の例を図８（ａ）に、液よりが発生している画像の例を図８（ｂ）に示す。図８（ｂ）の画像例では、無数の液より（黒いスポット）が発生しており、図８（ａ）の画像例に比べて低画質となっている。
＜まとめ＞
上記の結果より、インク滴Ｄの着弾時間間隔が２０ｍｓｅｃ以下である１２．５ｍｓｅｃ以下のときであってギャップＧに電圧を印加した場合に、記録媒体Ｐの種類に因らず、液よりの発生を抑制できていることが分かる。
【符号の説明】
【００７０】
１  インクジェット記録装置
３  インクジェットヘッド
４  照射装置（照射手段）
５  制御部
３０１  ノズル
３０１ａ  インク吐出口
Ｄ  インク滴
Ｇ  ギャップ
Ｐ  記録媒体
【図１】
2011037006.tif 000004
【図２】
2011037006.tif 000005
【図３】
2011037006.tif 000006
【図４】
2011037006.tif 000007
【図５】
2011037006.tif 000008
【図６】
2011037006.tif 000009
【図７】
2011037006.tif 000010
【図８】
2011037006.tif 000011
【国際調査報告】
2011037006.tif 000012
2011037006.tif 000013
2011037006.tif 000014
2011037006.tif 000015